(57)【特許請求の範囲】
【請求項１】
ヒータを有する調理器本体と、この調理器本体の上面に着脱自在に載置する調理プレートと、この調理プレートの上方から調理器本体の側面までを覆い、かつ前記調理器本体に係止する係止部を設けた成形部材から成る収納ケースを備え、
前記収納ケースは、上面に収納部を形成し、その天面を開放させる収納ケース蓋を設け、この収納部内に前記調理プレートを収納することを特徴とする調理器。
【発明の詳細な説明】
【０００１】
【発明の属する技術分野】
この発明は、少ないスペースで衛生的な収納が容易にできる調理器に関するものである。
【０００２】
【従来の技術】
従来の調理器を収納するものとして、複数の緩衝材にて調理器を挟み込み、その状態で調理器を梱包箱内に収納するという方法がある。図６は従来の調理器及び収納部材を示す分解斜視図である。図において、２１は被収納体であるホットプレートなどの調理器本体、２２は発熱体の温度を調節し、サーモスタットを内蔵するコントローラー部、２３はコントローラー部２２と接続する差し込み口、２４は内面が平らな平プレート、２５は内面に凸凹を有する焼き肉プレート、２６は調理器本体２１の上面に載置された平プレート２４または焼き肉プレート２５の上面を覆う蓋、２７は蓋２６の取手、２８は調理器本体２１や蓋２６、プレート２４，２５の上下を挟み込むクッション材からなる収納部材である。
【０００３】
このような従来の調理器においては、まず、コントローラー部２３など調理器本体２１から着脱できるものを取り外し、収納部材２８の収納部２８ａ内に収納保管する。そして、この収納部材２８で調理器本体２１の上下を挟み込む。収納部材２８を取り付けた状態のままの調理器本体２１を梱包箱２９内に差し込むようにして収納する。そして、調理器本体２１を収納した梱包箱２９を収納スペースに保管する。
【０００４】
他に、調理器本体１を立てた状態で収納するものもある。図７は、例えば特開平８−２５１８１号公報に示された従来の調理器の断面図である。図において、２１は調理器本体、２４は平プレート、２６は蓋、３０は調理器本体２１の外底部に進退自在かつ回動自在に遊嵌した収納スタンドで、支持部３０ａと脚部３０ｂと挟持部３０ｃとから構成される。このような従来の調理器においては、調理器本体２１の保管時には、調理器本体２１と蓋２６とを収納スタンド３０の支持部３０ａ及び挟持部３０ｃにて挟持し（図８参照）、さらに調理器本体２１と蓋２６とを脚部３０ｂにて倒立支持して、調理器本体２１を立てた状態で収納するものである。
【０００５】
【発明が解決しようとする課題】
上記のような従来の調理器では、収納時に発泡スチロールなどのクッション材からなる収納部材２８で調理器本体２１の上下を挟み込み、この状態で梱包箱２９内に収納するため、調理器本体２１を使用している間は収納部材２８ならび大きな空の梱包箱２９を別保管しておかなくてはならず、大きな保管スペースが必要になるという問題点があった。また、収納部材２８で挟み込んだ調理器本体２１を梱包箱２９に収納する際、各プレート２４、２５や蓋２６などが重いため、調理器本体２１を持ち上げて梱包箱２９内に収納しにくく、また梱包箱２９からの取り出しの時も重い調理器本体２１及びプレート２４、２５を持ち上げなくてはならず扱い難いという問題点があった。また、収納部材２８や梱包箱２９を製品購入後に廃却した場合やスタンド３０を使用して保管した場合は、調理器本体２１はそのままの状態で保管され、スタンド３０を使用して保管して埃が付着してしまい不衛生であるという問題点があった。
【０００６】
この発明は、上記のような課題を解決するためになされたもので、調理器の収納および取り出しが容易で、かつ安価で衛生的で少ない保管スペースで収納ができる調理器を得るものである。
【０００９】
また、前記収納ケースは、上面に収納部を形成し、その天面を開放させる収納ケース蓋を設け、この収納部内に前記調理プレートを収納するものである。
【００１０】
【発明の実施の形態】
実施の形態１．
図１はこの発明の実施の形態１である調理器を示す分解斜視図、図２は一部を断面で示した側面図である。図において、１は被収納体であるホットプレートなどの調理器本体、２は調理器本体１内部に有する発熱体、３は発熱体２の温度を調節し、サーモスタット（図示せず）を内蔵するコントローラー部、４はコントローラー部３と接続する差し込み口、５は内面が平らな平プレート、６は内面に凸凹を有する焼き肉プレート、７は調理器本体１の上面に載置された平プレート５または焼き肉プレート６の上面を覆う蓋、８は蓋７の取手、９は調理器本体１にプレート５，６と蓋７をセットした状態で、その上部から覆うように取り付ける収納ケースで、成型部材で形成され、収納ケース９の左右に掛止部９ａ、９ｂを設け、収納ケース９の天面９ｃを略平らに形成している。１０は調理器本体１のガード部である。
【００１１】
このように構成された調理器においては、調理器を保管する場合、調理器本体１の上面に平プレート５及び焼き肉プレート６を載置し、その上面を蓋７で覆いセット状態にする。そして、蓋７の上方から収納ケース９を被せて、収納ケース９の係止部９ａ、９ｂをガード部１０に引っ掛ける。このとき、係止部９ａ、９ｂは成形部材から形成されているので弾性があり、その弾性により掛止部９ａ、９ｂはガード部１０に容易に掛止される。このようにして、収納ケース９とガード部１０との間に平プレート５及び焼き肉プレート６、蓋７などの部材を挟み込んで収納することができる。なお、上記係止部９の代わりに、図３に示すような一対の取付具１１を設けてバネ１２により調理器本体１のガード部１０に係止固着するようにしてもよい。
【００１２】
また、調理器本体１から外された収納ケース９は、成型部材により形成されているため、調理中に野菜や皿などを運んだりする受け皿として使用することも可能である。
【００１３】
実施の形態２．
図４はこの発明の実施の形態２を示す調理器の側面図であり、図において、１〜１０は上記実施の形態１と同様で、９ｄは収納ケース９の側面に延設するように設けた平面部で、この平面部９ｄを下面にして載置面に載置すれば、調理器本体１を立てて収納することができ、収納スペースを少なくすることができる。なお、この平面部９ｄは収納ケース９と一体に構成してもよいし、別部品を取付けて構成してもよい。
【００１４】
実施の形態３．
図５は、この発明の実施の形態４を示す調理器の側面図で、図において、１〜１２は上記実施の形態１と同様で、１３は収納ケース９の上部に形成した収納部で、天面が開放する収納ケース蓋１３ａを設けている。１４はヒンジ部、１５はロック部である。そして、調理時は平プレート５又は焼き肉プレート６のどちらか１枚しか使わないし、蓋７も使用しない調理方法もあるため、使用していないプレート（平プレート４または焼き肉プレート５）や蓋７を収納ケース蓋１３ａ内の収納部１３に収納することができる。
【００１５】
さらに、上記実施の形態１の収納ケース９や実施の形態３の収納ケース蓋１３ａの天面を略平らに形成すれば、保管場所に調理器に収納ケース９を取り付けて収納したときにその天面上部に他の物を置くことができ、便利である。
【００１６】
さらに、上記実施の形態１〜３において、収納ケース９および収納ケース蓋１３ａを透明な成形部材で構成すれば、機器販売時の展示棚に収納ケース９を取り付けたまま展示することができ、展示中も埃の付着を防止でき、衛生的である。
【００１７】
【発明の効果】
この発明は、以上説明したように構成されるので、以下に示すような効果を奏する。
【００２０】
また、前記収納ケースは、上面に収納部を形成し、その天面を開放させる収納ケース蓋を設け、この収納部内に前記調理プレートを収納するので、調理中に使用していない調理プレートや蓋を収納部内に収納することができるため、見た目もきれいで、収納効率が良く使い勝手の良いものとなる。
【図面の簡単な説明】
【図１】  この発明の実施の形態１を示す調理器の分解斜視図である。
【図２】  この発明の実施の形態１を示す調理器の側面図である。
【図３】  この発明の実施の形態１を示す調理器の側面図である。
【図４】  この発明の実施の形態２を示す調理器の側面図
【図５】  この発明の実施の形態３を示す調理器の側面図である。
【図６】  従来の調理器を示す分解斜視図である。
【図７】  従来の調理器を示す断面図である。
【図８】  従来の調理器を示す横正面図である。
【符号の説明】
１  調理器本体、２  発熱体、３  コントローラ、４  差し込み口、５  平プレート、６  焼肉プレート、７  蓋、８  取手、９  収納ケース、９ａ,９ｂ  係止部、９ｃ  天面、９ｄ  側面、１０  ガード部、１１  取付具、１２  バネ、１３  収納部、１３ａ  収納ケース蓋、１４  ヒンジ部、１５  ロック部。
【図１】
0003726230.tif 000002
【図２】
0003726230.tif 000003
【図３】
0003726230.tif 000004
【図４】
0003726230.tif 000005
【図５】
0003726230.tif 000006
【図６】
0003726230.tif 000007
【図７】
0003726230.tif 000008
【図８】
0003726230.tif 000009